(57)【要約】【課題】  この種の組み合わせを改良するように構成すること。【解決手段】  本発明は、まず、掃除機の吸込みノズル（２）が吸込み口（８）を有し、掃除シート（４）が特に減圧を介して吸込みノズル（２）に保持される、掃除機の吸込みノズル(２)と掃除シート（４）との組み合わせに関する。この種の組み合わせを改良するように構成するため、掃除シート（４）が、液体の吸い上げを防止するために高密度層（２２）を有する。さらに、本発明は、掃除機の吸込みノズル（２）に吸い付けられて保持される掃除シート（４）に関する。これは、構成を改良するために密閉層（２２）を有する。さらに、本発明は床（３）の水拭き掃除に関する。方法を簡素にするため、掃除機（１）の吸込みノズル（２）に保持される掃除シート（４）が供給され、同時に１つ又は複数の開放されている吸込み開口（１３）が吸い込みを行う。【選択図】図３
2009011843.tif 000002
【特許請求の範囲】
【請求項１】
掃除機の吸込みノズル（２）が吸込み口（８）を有し、掃除シート（４）が特に減圧を介して吸込みノズル（２）に保持される、掃除機の吸込みノズル(２)と掃除シート（４）との組み合わせにおいて、
掃除シート（４）が、液体の吸い上げを防止するために密閉層（２２）を有する、ことを特徴とする吸込みノズルと掃除シートとの組み合わせ。
【請求項２】
掃除機の吸込みノズル（２）が、下流に、掃除シート（４）に向かって分かれていく２つの吸込みチャネル系統（４０、４１）を有し、これらによって、掃除シート（４）を保持するための減圧の生成と直接的な床の吸込み掃除とが提供される、ことを特徴とする請求項１に記載の吸込みノズルと掃除シートとの組み合わせ。
【請求項３】
吸込みチャネル系統（４０、４１）が、少なくとも部分的に相互に接触して伸びている、ことを特徴とする請求項１又は請求項２に記載の吸込みノズルと掃除シートとの組み合わせ。
【請求項４】
掃除シートの一部が、床（３）上に載るように形成された刃状パッキン（４８）を介して、水平方向に床吸込み部（４３）から分離されている、ことを特徴とする請求項１乃至請求項３のいずれか１項に記載の吸込みノズルと掃除シートとの組み合わせ。
【請求項５】
掃除シート（４）が、減圧を介した保持を好ましく完備するように、機械的な手段を介して掃除機の吸込みノズル（２）に保持されている、ことを特徴とする請求項１乃至請求項４のいずれか１項に記載の吸込みノズルと掃除シートとの組み合わせ。
【請求項６】
保持用吸込みチャネル系統（４０）が、フィルタ状の分離手段（４７）を介して吸込みチャネル（３９）から分離されている、ことを特徴とする請求項１乃至請求項５のいずれか１項に記載の吸込みノズルと掃除シートとの組み合わせ。
【請求項７】
刃状パッキン（４８、４８’）が操作による移動を介して変更可能に構成され、操作方向（ｒ）において、刃状パッキン（４８、４８’）の偏向する部分が、床吸込み部（４３、４３’）の対向する吸込み口を閉鎖し、その一方で、同一の操作方向において、他の刃状パッキン（４８、４８’）が掃除シート（４）に向かって分かれていくように動く、ことを特徴とする請求項１乃至請求項６のいずれか１項に記載の吸込みノズルと掃除シートとの組み合わせ。
【請求項８】
掃除機の吸込みノズル（２）を床（３）上に載せるために持ち上げたとき、掃除シートを保持する観点で、減圧が強化される、ことを特徴とする請求項１乃至請求項７のいずれか１項に記載の吸込みノズルと掃除シートとの組み合わせ。
【請求項９】
掃除機の吸込みノズル（２）が、構造形成部（１４）が取り付けられ、掃除シート（４）が保持されたとき、先端部分に吸込み開口（１３）を有する、ことを特徴とする請求項１乃至請求項８のいずれか１項に記載の吸込みノズルと掃除シートとの組み合わせ。
【請求項１０】
掃除機の吸込みノズル（２）に吸い付けられて保持される掃除シート（４）であって、
密閉層（２２）を備える、ことを特徴とする掃除シート。
【請求項１１】
密閉層（２２）が気密になっている、ことを特徴とする請求項１０に記載の掃除シート。
【請求項１２】
掃除シート（４）に、少なくとも周縁に部分的に固定部材（３２）が設けられている、ことを特徴とする請求項１０又は請求項１１に記載の掃除シート。
【請求項１３】
掃除機（１）の吸込みノズル（２）に保持される掃除シート（４）が供給され、同時に１つ又は複数の開放されている吸込み開口（１３）が吸い込みを行う、ことを特徴とする床の水拭掃除方法。
【請求項１４】
掃除が、濡れ掃除シートを介して行われ、吸い込みが、床（３）の水分が付く部分の外側で行われる、ことを特徴とする請求項１３に記載の床の水拭掃除方法。
【請求項１５】
掃除機の吸込みノズル（２）の通常の操作方向（ｒ）に関して掃除シート（４）の前後に床の吸い込みが行われ、操作方向（ｒ）に関係なく、一方の吸込み口が機能を停止され、他方の吸込み口が機能する、ことを特徴とする請求項１３又は請求項１４に記載の床の水拭掃除方法。
【発明の詳細な説明】
【技術分野】
【０００１】
本発明は、まず、掃除機の吸込みノズルが吸込み口を有し、掃除シートが特に減圧を介して吸込みノズルに保持される、掃除機の吸込みノズルと掃除シートとの組み合わせに関する。
【背景技術】
【０００２】
掃除機の吸込みノズルは、知られている。これらは、特に、床、更にカーペット又は固い床の吸い取り掃除のための家庭用の真空掃除機ヘッドとしての応用を見出す。さらに、床よりも上の処理用の吸込みノズルも知られている。これらは、より高い所にあるもの、例えば棚の台又は同様のものの吸い取り処理のために、原則吸込みホース又は同様のものを介して掃除機に接続されている。吸込みノズルの吸込み部分において、作動時に、掃除シートの保持を可能にする減圧が生ずる。その結果、固い床、例えばフローリングの床、タイル張りの床等の湿式掃除のための規制の吸込みノズルが使用可能である。
【発明の開示】
【発明が解決しようとする課題】
【０００３】
上記の技術の現状に鑑み、本発明の技術的課題は、この種の組み合わせを改良するように構成することとして見出される。
【０００４】
この問題は、先ずそして根本的に請求項１の対象によって解決される。ここで、掃除シートが液体の吸い上げを防止するように密閉層を有する、ことが提案される。この構成の結果、掃除機の吸込みノズルを介して、表面の水拭き掃除も可能となる。水拭き掃除を介して改善された掃除成果が目標とされる。掃除に使用される液体が、掃除シートの貼り付けために好ましく必要とされる吸込み気流を介して掃除機の吸込みノズル内に運ばれ、これを介して吸込み気流をもたらす掃除機内に運び去れることを防止するために、掃除シートには密閉層が設けられる。これは、分離層として機能する。
【０００５】
さらに、好ましくは請求項１の特徴との組み合わせにおいて重要な特徴が記載されている。しかしながら、これらは、基本的には、請求項１の単独の特徴との組み合わせにおいても、単独でも重要でありうる。
【０００６】
本発明の対象の他の構成においては、掃除機の吸込みノズルが下流に、掃除シートに向かって分かれていく２つの吸込みチャネル系統を有し、これらによって、掃除シートを保持するための減圧の生成と直接の床の吸込みとが提供される。この構成により、動作中にもたらされる吸込み気流がノズル側で分流され、一方が掃除シートの保持のため、他方が直接の床の吸込みのためである。ここにおいて、さらに、保持用吸込みチャネル系統の開口が床に対して向く構成において、好ましく完全に覆う掃除シートは、割り当てられた保持用吸込みチャネル系統のシート保持室を少なくとも略、単独の減圧で貼り付けられ閉じられる部屋にする。相対的に高い吸込み動作中の流れの速度は、システム全体の動圧を高め、逆に静圧を低下させる。この低下した静圧は、流れのチャネル内で壁に対する吸い込みの原因となり、その結果上記の場合、掃除シートの貼り付けにおいて閉じられるシート保持室に対する原因となる。これは、背景の静圧よりも低下した静圧として表れる。これは、掃除シートを好ましく減圧で貼り付けるためのシート保持室内で作用する。提案された吸込みチャネル系統の分割を介して、一様な減圧がシート保持室の各部分に付与されている。その結果、減圧が作用する掃除シートの面全体に亘って、一様な減圧が働く。さらに、分けられた吸込みチャネルの系統を介して、吸込み用チャネル系統内には、好ましい吸込み力が達成されている。吸込み力は、また、掃除シートを吸い込んでそれ自身を吸込みノズルに貼り付けることによって、低下しない。
【０００７】
吸込みチャネル系統は、好ましい構成において少なくとも部分的に垂直方向に、吸込みチャネル系統がノズル底に関する投影において、又は動作状態における掃除する床上への投影において少なくとも重なって配置されるように、相互に並んで配置されている。好ましい構成において、保持用吸込みチャネル系統は、ここにおいて、吸込み用チャネル系統の下側を伸びる。ここにおいて、他の構成において、保持用吸込みチャネル系統は同時に直接シート貼り付け室をなし、一方、吸込み用チャネル系統は例えば管状断面を有するように構成され、保持用吸込みチャネル系統上を導かれる。前者の端部は、更に好ましくは、通常の操作方向に関して直交する吸込ノズルの幅全体にわたり、吸込みノズル状の吸込み口を形成している。これ、吸込み用チャネル系統に設けられた吸込み口は、好ましくは吸込みノズルの通常の操作方向に関して、それ自身の先端部に配置されている。その理由は、これによって吸込みノズルを通常の操作方向における前方に移動したときに、床が湿る前に、より粗い埃の粒子が吸い上げられるようにするためである。
【０００８】
さらに、吸込み用チャネル系統は、少なくとも部分的に水平方向に並んで伸びていき、更には通常の操作方向に関する水平方向に伸びている。そして、例えば、ノズル底の上方かつノズル底に対してわずかに距離をおいて水平に向けられた面は、保持用吸込みチャネル系統のシート保持室も通常の操作方向におけるその前に配置された吸込み用チャネル系統も分断する。
【０００９】
掃除シート部分は、更に好ましくは床の吸込み部分から水平方向に、床に載るために設けられた刃状パッキンによって分離される。これは、好ましい構成において、吸込みノズルの通常の操作方向に直交して、更には、通常の操作方向に直交するノズルの幅全体に亘って広がっている。この構成により、先ず、好ましくも液体を含む掃除シートは、乾燥する前に、床の吸込み部分を介して吸い込まれた吸込み気流によって支持されている。空気の吸い込みは、刃状パッキンの構成の結果、少なくとも通常の操作方向に刃状パッキンの前におかれたノズル部分を仕切ることになる。ここにおいて、更に好ましくは、この種の刃状パッキンはまた床を吸い込む部分寄りに設けられている。さらに、刃状パッキンは、ドアの敷居又は他の平坦な障害を乗り越えるときの構造的な補助手段として役立つ。吸込みノズルは通常の操作方向の前方に動かされるため、即ち、掃除する床上を床の吸込み部分がまず移動するため、刃状パッキンは、その自由端部で、操作方向後方に続く掃除シートの対向する端部に亘って載り、又は代わりに少なくとも必要に応じて掃除シートとノズル底との間に形成された間隙を覆う。これの結果、ドアの敷居又は他の平坦な障害物を乗り越えるときに、掃除シートが裂けること又は剥がれることを回避される。刃状パッキンは、持ち上げの観点では、掃除シートを障害物上に持ち上げることとなる。
【００１０】
他の構成において、掃除シートは、好ましくも減圧を介した保持を補完するように、吸込みノズルの機械的手段によって、保持されている。この機械的保持は、特に減圧を介した掃除シートの保持を支援するために役立つ。機械的な保持手段の構成によって、掃除シートの貼り付けはまた、吸込み気流をブロックして、例えば筐体を閉鎖することによって吸込み気流をブロックした後に、得られる。この機械的手段は、所定の構成において、乗り上げ閉鎖部材からなる。ここにおいて、乗り上げ閉鎖部材は掃除シートに、そして対応する他の乗り上げ閉鎖部材はノズル底又は掃除シートに割り当てられた保持部材に、割り当てられている。掃除シートが特別の素材、更に例えば羊毛素材からなる構成においては、この素材は、自ら環状の乗り上げ閉鎖部材をなし、その一方筐体側には、顎付きフック状の対応する乗り上げ閉鎖部材が設けられている。更に代わりに、機械的手段は、欠部係合手段、更に例えば、筐体側に必要に応じてバネ弾性を有する係合フックが形成され、対応する掃除シートの係合開口部と連携して機能するものように形成されている。係合フックと連携したロックを確実に保持するための係合開口周縁部の強化は、例えば、掃除シートに形成された密閉層によって達成されている。
【００１１】
保持用吸込みチャネル系統内、更に掃除シートが取り付けられたシート保持室内の減圧を強めるため、本発明の対象の他の構成においては、保持用吸込みチャネル系統が、掃除シートに対して上流の気流のチャネルの狭まりを有することが提案されている。この気流のチャネルの狭まりの結果、この部分で気流の速度の上昇が達成され、これが、シート保持室の横断面部分での減圧の強化に繋がる。気流のチャネルの狭まりは、ベンチュリ管的に作用する。他の好ましい実施例において、気流チャネルの狭まりは、両方の吸込みチャネル系統の分岐部に設けられる。しかしながら、狭まりは、代わりに掃除シートに対して上流の分岐部の前に形成されるのでもよい。
【００１２】
吸込み用チャネル系統を介して運ばれる埃の粒子が保持用吸込みチャネル系統内に入り込むことを防止するために、さらに、後者が、吸込みチャネル更に具体的には吸込み用チャネル系統からフィルタ状の分離手段を介して分離されることが提案される。このフィルタ上の分離手段は、好ましくは、フィルタ特性を有する紙又は羊毛からなる層のようなフィルタ部材である。代わりに、分離手段はまた、目の細かい格子からなるのでもよい。他の構成においては、フィルタ状の分離手段は、好ましくは両方の通気チャネル系統が分岐する部分に交換可能に配置される。
【００１３】
吸込みノズルが通常の操作方向に関して掃除シートの前後に吸込み用チャネル系統の開口部として形成される構成は、特に利点として表れる。その結果、直接の床の吸い込みが、通常の操作方向において、掃除する床が掃除シートに触れる前と後との両方で実行される。これは、吸込みノズルの通常の取り扱いにおいて利点として表れる。何故ならば、このとき、吸込みノズルは接続された掃除機を介して通常の態様で前後に移動され、もって吸込み用チャネル系統は床を吸い込むために操作方向に掃除シートの前方に配置されるからである。この連携は、吸込み用チャネル系統が前方の吸込みチャネル系統と後方の吸込みチャネル系統とに分岐される場合に、利点として表れる。
【００１４】
刃状パッキンが掃除シート部分を床の吸込み部分に対して分離するさらに好ましい構成において、これは吸込み用チャネル系統の分岐と連携して、以下の場合に更に利点として表れる。即ち、前方の床の吸込み部分の吸込み口と後方の床の吸込み部分の吸込み口とが、床の上に載るように形成された刃状パッキンを介して掃除シートから水平方向に分離される場合である。これにより、個々の操作方向における前方の掃除シートの各端部は刃状パッキンが割り当てられる。パッキンは、掃除シートを、操作方向前方に配置された床の吸込み部分において、保護するものである。また、これによって、平坦な障害物、例えばドアの敷居等を両方の操作方向に乗り越えることが容易になる。刃状パッキンは、ここにおいて、掃除シートが吸込みノズルの底部から引き離され又は削ぎ取られることを、効果的に防止する。更に、刃状パッキンは移動操作を介して偏向可能に形成されることが提案される。ここにおいて、所定の移動方向において、刃状パッキンの偏向部材は割り当てられた床の掃除部分の吸込み口を実質的に閉鎖し、その一方でこの方向における他の床の吸込み部分に割り当てられた他の刃状パッキンは、掃除シートから離れるようにのみ動く。例えば、吸込みノズルの通常の操作方向への移動において、即ち、掃除機の通常の前方移動において、掃除シートに載る刃状パッキンは、前方の吸込み部で掃除シートに向かって偏向してシートの端部側を覆う。これによって、平坦な障害部、例えばドアの敷居は、容易に乗り越え可能となる。掃除シートに対して操作方向後方にある刃状パッキンは、掃除する床に対する相対的な移動を介して床の吸込み部分の対向する吸込み口の方向に倒れて実質的に完全に閉鎖する。もって、選択された操作方向において、全吸込み力は、先端側の床の吸込み部分に向けられている。ノズルの後方移動においては、刃状パッキンは、これによって全吸引力が筐体の底面に関して後方側の吸い込みに向けられる状態に切り替わる。
【００１５】
吸込みノズルを掃除する床から持ち上げるときに必要に応じて水分を有し持って重くなった掃除シートが吸込みノズルに保持され続けることを確実にするために、保持用吸込みチャネル系統における減圧を強化することが提案される。この強化は、床の吸込み部分の吸込み口の断面積を縮めることによって達成されている。床の吸込み部分は、吸込みノズルが持ち上げられるやいなや、完全に閉じられ又は開口面積が減らされる。吸込み口の断面を閉鎖又は面積を減らすことは、機械的な部材を介して調節されるのでもよい。これに関連して、吸込みノズルの持ち上げが床への接触を検出する接触検出機構を介して検出されることが、提案される。通常の床掃除動作において、接触検出機構は掃除する床を検出する。吸込み口は、十分に開口していると共に掃除シートに作用する減圧が確保される、大きさに選択されている。床との接触が接触検出機構で外れると、例えば機械的に、しかしながら必要に応じて接触信号を評価することによって電気的にも検出されて、吸込み口の断面積が小さくされ、もってシート保持室内の減圧は強められる。好ましくは吸込みノズルを床から持ち上げる途中で吸込みチャネルが閉じられ、これが更に、接触検出機構と連携して機能する機械的手段、例えば偏向可能なダンパ又は同様のものを介して閉じられる。
【００１６】
本発明の対象の他の構成において、掃除機の吸込みノズルが吸込み口に繋がる１つ又は複数の溝が形成されていて所定の溝が少なくとも部分的に開口しているが空気を通過もさせる構造形成部が設けられることが、提案される。形成された溝は、ここでは、例えば掃除機の吸込みノズルの通常の操作方向又は移動方向に直交して伸びている、しかしながら、さらに必要に応じて操作方向にも又はこれに対して鋭角にも伸びている。例えば、吸込み口から出て行く複数のそのように形成された溝は、掃除機の吸込みノズルの先端側の面まで到達する。これらの溝を介して、これらに繋がる吸込み口と連携して普通の方法で、床の吸込み掃除が可能となっている。水拭き掃除において、少なくとも、掃除する面に対して溝を少なくとも部分的に開口させて保持する構造形成部が、その溝に設けられている。構造形成部は、溝を介して張られる掃除シートの支持面に一致するように提供される。部分的に開口しそれに応じて空気を通す構造を介して、更に減圧を必要とする掃除シートの貼り付けが達成されている。好ましくは、掃除機の吸込みノズルの形成された全ての溝には、水拭き動作中に、そのような構造形成部が提供されている。保持用吸込みチャネル系統と吸込み用チャネル系統とが分離されている構成においては、構造形成部は、好ましい構成において、保持用吸込みチャネル系統の床に面した吸込み開口の全体を覆う。
【００１７】
構造形成部は、好ましい構成においては、吸込みノズル内に下側から取付け可能な樹脂部材であり、さらには、好ましくは形成された全ての溝を、更に好ましくは吸い込み口をも覆う樹脂フォイルである。ここで、フォイルは、溝の開口及び／又は吸込み口の掃除する床の面の方向に関して下側を覆っている。構造形成部は、これに応じて、掃除機の吸込みノズルに下側で係合又はロックを介して保持可能な樹脂成形部材である。さらに、構造形成部は、また、掃除機の吸込みノズルに差し込み取り付け可能で吸込み口と溝とをなす取付け部材と、一体に形成可能である。構造形成部の構成は、更に好ましくは以下のように調整されている。即ち、形成された溝又は掃除機の吸込みノズルの保持用吸込みチャネル系統の吸込み口にこれを取り付けた状態において、吸込みノズルの底の近傍部分は、少なくとも略共通な面をなして広がる。代わりに、構造部材は、掃除機の吸込みノズルの構成部材として基本的なものであってもよく、さらには例えばスイッチ操作又はキー操作を介して取外し可能であってもよい。例えば足を介したスイッチの操作を条件とする場合、形成された溝又は必要に応じて吸込み口に構造形成部が落ち込むことによって入り込むのでもよい。さらに、基本的に、構造形成部を介して面決めされた掃除シートが形成されるのでもよい。構造形成部の部分的な開口に対して、これは、吸込み貫通欠部を提供する。これら（欠部）は、スロット状又は丸い穴状に形成され、その自由底面形状及び数が、取り付けられる掃除シートが水拭き動作中にしっかりと減圧で保持されるように調整されているのでもよい。
【００１８】
掃除シートは、本発明の好ましい構成において、構造形成部に直接保持されている。代わりに、構造形成部と掃除シートとの間に、中間部材が配置されている。この中間部材は、層状部材、例えば滑り防止部材又はそのような材料からなる層状部材であり、もって、摩擦力が高められて掃除シートの保持の改善に繋がるのでもよい。掃除シートは、この構成により、床掃除中に掃除機の吸込みノズルの取り付け位置に良好に保持される。他の構成において、中間部材は射出整形された発泡体からなることが提案されている。
【００１９】
これは、この場合、同時に位置決め補助部材としても使用される。さらに、掃除シートの貼り付け性も高められている。例えば、平坦でない床面を弾性力で越えるようにするため、さらに好ましくは、中間部材に弾性が導入されること、更に具体的には中間部材を発泡部材で形成することが提案されている。この弾性が導入された中間部材を介して、床の凹凸（例えば、タイルの繋ぎ目）の均一化が達成され、もって掃除シートを掃除する床上に全面で載せることが、少なくとも略達成される。更に代わりに、いずれにしても掃除シートに面する中間部材は、シリコン樹脂、更にはシリコン樹脂の層状体、又は同様の摩擦発生材料からなり、これらの積層部材が構造形成部上にもたらされる。
【００２０】
掃除機の吸込みノズルの作動中における掃除シートの貼り付けに関する更なる改良は、密閉層の気密構成を介して達成されている。密閉層は、本発明の対象の構成においては、掃除シートの面全体に広がっている。代わりに、これに関して更に、密閉層が掃除シート内で単に平行に密閉層部分を形成していくように構成されている。密閉層部分は、減圧を作用させて掃除シートを確実に保持するために、構造形成部の減圧する部分、更には特に掃除機の吸込みノズルの溝又は吸込み口に、割り当てられている。
【００２１】
特に好ましいものとして、掃除シートが、吸込みノズルの底面形状と一致又は少なくともできるだけ一致する外形を有する構成が、ある。これによって、掃除機の吸込みノズルを介して引かれるシート面を最も広くすることができる。掃除シートが減圧のみで吸込みノズルに保持されることを条件にすることによって、クランプ又は同様のものを介して過剰に掃除シートを固定することを考えなくとも好くなる。その結果、掃除シートは、最適に全面が使用される水拭き面を有することとなる。
【００２２】
掃除シートは、最も簡易な構成においては、乾燥したシートでもよい。床の水拭きのための液体は、この場合、直接床にもたらされて掃除シートが取り付けられた吸込ノズルが作用して分散される。本発明の対象の他の構成において、掃除シートは、その結果、水分と場合によっては掃除部材とを備える濡れシートである。また、掃除シートは他の構成においては、気密手段又は同様のものが設けられている。濡れシートを介して、水分が継続的に調節されて掃除する硬い床上に供給される。掃除シート内に設けられた密閉層は、掃除シート内に収容された水分の乾燥を防止する。
【００２３】
吸込みノズルが、構造形成部が取り付けられて掃除シートが保持された場合において、その前方部分に吸込み開口を有することによって、更に好ましい効果が達成される。この先端側の吸込み開口は、構造形成部から離れて保持されていて、更に好ましくは掃除シート面の上方に広がり、もって、水拭き掃除の工程において、吸込みノズルの前にある粗い埃粒子を、これらが掃除シートに着く前に吸い取ることができる。これによって、掃除シートの使用可能時間を高めることができる。シートは、粗い埃によって汚されずまたその上傷付けられることもない。代わりに又はこれとの組み合わせで、吸込み開口はまた、側方又は後方に設けられるのでもよい。
【００２４】
吸込み部分での特に減圧をできるだけより強めるために、吸込み開口に刃状パッキンを設けることが、他の構成において提案されている。この刃状パッキンは、例えば軟質プラスチック又はゴム素材からなる。この構成により、掃除シートへの減圧作用を強めることが達成でき、もって構造形成部への掃除シートの貼り付きが強められ更に吸込み開口を介した吸込み力が強められる。
【００２５】
掃除シートは多層に形成され、例えば掃除活性層と、その上の、掃除活性層と強固に固定された密閉層とを有する。この密閉層は、本発明の対象の他の構成においては、フォイル更に特に樹脂のフィルからなり、これはその結果水を通さず更に好ましくは気密でもある。掃除シートの掃除活性層は、好ましい構成においては、繊維素材からなり、例えばＰＰ（ポリプロピレン）又はＰＥ（ポリエチレン）素材、更には必要に応じて掃除シートを多層にする場合は、できるだけミクロ繊維素材からなる。
【００２６】
保持された掃除シートは、基本的には平に、掃除する床に面平行に広がる。場合によっては、特に、構造形成部を調節して、床上で掃除シートの研磨作用を高めるシート周縁部が掃除シート内に形成されるのでもよい。
【００２７】
提案される構成を介して、吸込みユニット又は水拭きユニットは、特に衛生的に掃除シートを掃除機の吸込みノズルに差し込むこと及び更に衛生的に掃除シートを捨てることもできる、掃除機の吸込みノズルの態様で実現する。ユーザは、掃除シートを掃除機の吸込みノズルに取り付けるためにシートをつかむ必要はない。構造形成部が差し込まれた掃除機の吸込みノズルを掃除シート上に好ましくは輪郭を合わせて配置しその後掃除機を作動させて使用することが達成される。ここでもたらされる吸込み気流によって、掃除シートが減圧で貼り付けられることとなる。掃除機を停止することによって、掃除シートは外れ、更に例えば直接、廃棄用コンテナ内に捨てられる。
【００２８】
他の構成においては、掃除シートを吸込みノズルに最適に位置合わせするために、掃除シートの天井部材となる構造形成部、例えばメス型の構造部材に適合して吸込みノズルの下側で差し込まれる雄型の構造部材、が提案されるのでもよい。これは、正確に合同で、操作中にずれることに抗して掃除シートが吸込みノズルの下にしっかりと据えられるようになっている。この構造形成部は、そして片面だけが掃除シートに提供されている。よって、掃除活性層は、影響されないままでいる。
【００２９】
また、掃除シートは、固定部材が少なくとも周縁部に少なくとも部分的には設けられていて、これにより掃除シートの構造形成部への固定が改善されるようにも、提案されている。好ましい態様において、固定用の固定部材は吸込みによって定着する。例示的な構成においては、吸い込みノズルの通常の操作方向に関し前方及び／又は後方の、掃除シートの一部が固定部材をなし、これがその結果吸込みノズル若しくは構造形成部の前方又は後方部分に吸われ又は吸い込まれるように、提案されている。このように保持された掃除シートは、この構成により、取り付け位置に関して、動作中にずれないように構造形成部の下に配置されている。
【００３０】
固定部材は、所定の構成において掃除シートの材料と一致するように形成され、これにより、所定の場合に吸込みの改善に役立つ掃除シートが提供される。さらにこれに関連して、固定部材は、全く同一の材料からなるが、構造が異なるのでもよい。さらに、固定部材は、掃除シートの掃除活性部分よりも高い気密性を有し、さらに場合によっては樹脂層を有するのでもよい。これによって、固定部材を形成するための固い又は平らな固定部材周縁部が得られる。ここにおいて、さらに、これとの関連で、固定部材は代わりに硬質樹脂からなるのでも、さらには硬質樹脂の周縁部が飛び出すように形成されるのでもよい。この硬い又は平らな周縁部が、吸込みノズル又は構造形成部の前方側及び／又は後方側の周縁部によって捕捉される。ここにおいて、この捕捉は減圧を介して吸込み部分で実現される。さらに、この構成により、吸込みノズルの先端側での吸い込みが掃除する床に向けられ、そのために更に所定の構成において、固定部材に、床に向けられた吸込み開口を形成する貫通欠部が設けられるのでもよい。
【００３１】
固定部材は、構造形成部と先端側及び／又は後方側の周縁部との対応する構成において、少なくとも掃除シートの活性層に対して平らに広がる。構造形成部の周縁部を取り囲む場合、保持された掃除シートの固定部は、掃除活性層が平らに広がる領域から曲げられた面に、例えば９０°の角度まで曲げられた面に推移していく。
【００３２】
本発明は、さらに、減圧によって掃除機の吸込みノズルに保持される掃除シートに関する。この種の掃除シートが改良されるようにこれを構成するために、密閉層が設けられる。この密閉層は、掃除シートを掃除機の吸込みノズルに取り付けた場合に掃除シートから液体が吸い取られることを防止する。その結果、このように形成された掃除シートは、掃除機の吸込みノズルを介した水拭き掃除にも使用可能である。ここにおいて、掃除シートの掃除機の吸込みノズルへの固定は、掃除機の作動中に形成される減圧のみによって達成されている。
【００３３】
さらに、好ましくは請求項４７の特徴との組み合わせにおいて重要であるが、原則、請求項４７の特徴と単独の特徴の組み合わせにおいても又は単独でも重要でありうる、特長が記載されている。
【００３４】
掃除機の吸込みノズルの動作中に掃除シートを貼り付けておくことに関する他の改良は、密閉層が気密である構成を介して達成されている。
【００３５】
他の構成において、掃除シートは、減圧を介した吸込みノズルへの保持を好ましく補完する手段を有する。これらの好ましい機械的手段は、特に、減圧による掃除シートの保持を補助することに役立つ。機械的な保持手段の構成を介して、掃除シートの貼り付けは、吸込み気流が止まったとき、例えば装置の電源を切ることによって吸い込み気流が止まった後に吸込みノズルに対して、行われる。機械的な手段は、所定の構成において、マジックテープ（登録商標）からなる。ここにおいて、一方のマジックテープ（登録商標）は掃除シートに、対応する他方のマジックテープ（登録商標）はノズル底又は掃除シートに割り当てられた保持部材に取り付けられている。掃除シートが特に繊維素材、更には例えば化繊素材からなる構成の場合、この素材はそれ自身が輪からなるマジックテープ（登録商標）をなすのでもよい。更に代わりに、機械的手段は、ロック手段、更に具体的には、筐体側の必要に応じてバネ弾性を有するフックであって掃除シートの対応する係合開口と連携して機能するフックである。フックと共に機能する係合開口部を確実にロックするために行う強化は、例えば、掃除シートに密閉層を設けることによって達成されている。
【００３６】
掃除シートが吸込みノズルの底面形状と一致するか又は少なくともできるだけ一致する外形を有する構成において、特別な利点が生ずる。これによって、掃除機の吸込みノズルを介したシート面の吸い込みが、最も好ましく行われる。掃除シートが減圧のみを介して吸込みノズルに貼り付けられることを条件とすることによって、例えば、フック又は同様のものを介した掃除シートの固定等の余分な対策が不要となる。その結果、掃除シートは、最適にも水拭き面全体が使用されることとなる。
【００３７】
さらに、最も簡易な構成においては、乾燥したシートであってもよい。床の水拭き掃除用の液体は、この場合、直接床にもたらされて掃除シートが取り付けられた吸込みノズルを介して分散される。本発明よる対象の他の構成において、掃除シートは、対応して、液体と必要に応じて掃除部材とが設けられた濡れシートである。また、掃除シートは、他の構成において、密閉手段又は同様のものが設けられているのでもよい。濡れシートを介して、継続的に調節された水分が、掃除する硬い床上に提供される。掃除シートに設けられた密閉層は、掃除シート内に収容された水分が吸われて乾燥することを防止する。
【００３８】
掃除シートは、多層に構成されているのでもよく、例えば掃除活性層と、その上に設けられ、掃除活性層に固定された密閉層とを有するのでもよい。この密閉層は、本発明による対象の他の構成においては、フォイル、例えば対応する液体、更に好ましくは気密性をも有する樹脂フォイルからなる。掃除シートの掃除活性層は、好ましい構成においては、繊維素材、例えばＰＰ繊維素材又はＰＥ繊維素材、更には必要に応じて掃除シートを多層で使用する場合においてはミクロ繊維素材、からなる。
【００３９】
ここにおいて、密閉層は、ノズル側で発生する減圧が、システム条件内での変動においても掃除シートを引き付けて確実に保持することを確保するように、気密に保持されている。ここにおいて、密閉層は、通り抜けた混合水が縁を上って、通常の手動の家庭用掃除機を故障させることがないように、防水になっている。この点に関しては、密閉層は、一様かつ完全に密閉する必要はなく、例えば足りる程度の密閉性を有する繊維素材からなるのでもよく、代わりに、繊維素材上に部分的に形成された層又は完全には密閉しないフォイルによって、達成されるのでもよい。
【００４０】
掃除シートは、水、掃除手段、光沢剤及び／又は研磨剤を継続的に供給するのでもよい。また、別に掃除の種類に合わせて掃除シートを変えるのでもよく、例えば、シートを変えること及び研磨剤を変えることが可能である。
【００４１】
密閉層は、本発明による対象の所定の構成において、掃除シートの面全体に広がっている。代わりに、これに関して、密閉層は掃除シート内で密閉層部分を連結して単に部分的に形成されることが、更に提案される。
【００４２】
また、掃除シートは、少なくとも周縁部に少なくとも部分的に固定部材が提供され、もって掃除機の吸込みノズルへの掃除シートの保持が改善されるように、提案される。好ましい態様において、固定用の固定部材が吸い付けられて定着する。好ましい構成において、掃除シートの、通常の吸込みノズルの押出し方向に関して前方部分及び／又は後方部分は、固定部材をなし、これ（固定部材）は吸込みノズルの対応する先端側又は後方側の部分で吸付け又は吸込み可能に、提案されている。
【００４３】
固定部材は、所定の構成において、掃除シートと一体の材料で構成され、これによって、更に場合によっては吸込み力の改善に使用される密閉層が提供される。さらに、これに関連して、固定部材は全く同一の材料からなるのでもよい。しかしながら、その構造は変更可能である。さらに、固定部材は、掃除シートの掃除活性部分よりも高い密閉性を有し、さらに必要に応じて樹脂層が設けられるのでもよい。これから、硬い又は板状の周縁部が固定部材の形成のために得られる。ここで、さらに、これに関連して、固定部材を硬質樹脂から形成する可能性が、更には例えば硬質樹脂からなり部分的に連結した周縁部状に形成する可能性もある。この硬い又は板状の周縁部を介して、吸込みノズルの前方又は後方の周縁部は、特に吸い込みによって補足可能である。代わりに、固定部材を介して、機械的な固定例えばフックが達成可能である。他の構成においては、固定部材は、床に向けられた開口を形成する貫通欠部を有する。
【００４４】
掃除シートには、所定の構成において、掃除溶液が浸み込んでいる。その結果、掃除シートは、掃除機の吸込みノズルに取り付けられた後、既に、継続的に収容された液体を供給することによって直ちに床の水拭き掃除ができるようになっている。代わりに、掃除シートの掃除活性層は、掃除溶液を蓄えかつ圧力で開放可能なマイクロカプセルを有するのでもよい。これらのマイクロカプセルは、本発明による対象の構成においては、層状に掃除活性層上にもたらされている。各マイクロカプセル内に、水等の掃除溶液は、必要に応じて、掃除活性剤が混合されて蓄えられている。マイクロカプセルは、使用において、掃除シートに印加された圧力によってつぶれ、この圧力は、掃除機の吸込みノズルを介してもたらされる。マイクロカプセルが液体を含有することは自在であり、掃除シートは、先ず使用時に対応して水分が供給されている。更にここにおいて、継続的に水拭き掃除するために、掃除シートが先ず液体を吸い取る。
【００４５】
本発明による対象の他の構成において、掃除シートが加水された多層の紙素材からなることが提案される。ここにおいて、加水は、掃除シートに液体を含ませることによって事前に格納状態まで達成されているか又は、供給されたマイクロカプセルが潰されて初めに達成されている。掃除シートが多層の紙素材からなる構成を介して、代わりに、水を放出しつつ安定した状態の粒が形成されることに起因して、次の水拭き掃除に向けた掃除シートの廃棄の可能性が達成されている。掃除シートは、乾燥時に分裂し、更に掃除機の吸込みノズルを介したシートの移動工程で引き起こされる摩擦の補助によって、多数の細かい欠片になっている。分裂した掃除シート片の大きさは、ここにおいて、維持されている吸込み気流用の開口を考慮して調整されている。分裂を介して、掃除シートは、埃サイズ又はコルクサイズの細かい片に分解されている。この構成は、特に、掃除シートが、１度の使用で、そして通常の床面の水拭き掃除に対して、例えば１０〜３０平米の領域の床面、更には例えば１５〜２０平米に足る寸法であるときに、好ましい。
このような広さの床面の水拭き掃除と結び付けられることによって、乾燥した掃除シートは、好ましくも更にユーザの手の介在なしに廃棄され、これはさらに、ユーザに光学信号及び／又は音響信号で通知される。
【００４６】
上記の掃除シートの構成の代わりに、これはポリウレタン発泡体からなり、これ（発泡体）更に好ましくは掃除に有効な物質を有するのでもよい。例えば、ポリウレタン発泡体には、表面活性剤と研磨剤が仕込まれているのでもよい。発泡体内の研磨剤の摩擦作用を介して、掃除中に埃が付着した発泡体が継続的にこそぎ落とされて掃除中に又は掃除後に掃除機の吸込みノズルによって吸い取られる。
【００４７】
最後に、本発明は、床の水拭き掃除方法に関する。
【００４８】
床の水拭き掃除のために、粗い埃粒子又は同様のものを除去するために、一般に先ず床の吸取り掃除又は拭取り掃除が必要である。この後、ようやく通常の方法で水拭き掃除が行われる。
【００４９】
これらの工程を１つにするために、本発明によれば掃除機の吸込みノズルに保持された掃除シートが提案されている。ここにおいて、更に、同時に１つ又は複数の開放された吸込みチャネルを介して吸い込みが行われる。この吸い込みは、好ましくは吸込みノズルの周縁部で、更には例えば先端部分、即ち通常の操作方向における吸込みノズルの先端部分で行われる。その結果、開放されている吸込みチャネルを介して、まず、粗い埃又は同様のものが吸い込まれ、その後、吸込みノズルの床面側に設けられた掃除シートを介して、水拭き掃除が継続して直ちに行われる。
【００５０】
本方法の好ましい他の構成においては、掃除が濡れ掃除シートを介して行われ、吸い込みは水が床に供給される部分の外側で行われる。床への掃除供給は、好ましい構成においては、掃除機の吸込みノズルを介して張られる底面内で行われ、その一方、吸い込みは、吸込みノズルの底面の外側で行われるが、直ぐこの面に繋がるように行われる。その結果、拭く領域特に水拭きする領域は、常に事前に吸われることとなる。開放された吸込みチャネルは、ここにおいては、吸込みノズルの通常の先端部分に設けられるのみならず、さらには、開放された吸込みチャネルの数に応じて、吸込みノズルの複数の側部に、全ての側部までに配置されるのでもよい。
【００５１】
また、吸込みノズルを床上に載せる持ち上げ時に、掃除シートの保持の観点で、減圧が強化されていることが、好ましい。例えば、吸込みノズルの持ち上げ中に、水を含んで重くなった掃除シートが吸込みノズルに更にまた張り付くことが、確保されている。減圧の強化は、吸込みノズルの持ち上げ時にのみ好ましいものであり、そのため掃除シートと掃除する床とに隙間があるときに必要とされる。この減圧の強化は、好ましい構成において、水分が供給される床の外側での吸込み口の断面を閉鎖又は小さくすることによって達成される。吸込みノズルを床に載せることは、更に好ましくは、接触検出機構又は同様のものを介して検出される。接触検出信号が消えることは、機械的な連携に、代わりにしかしながら減圧を所望に強化するための電気的な状態検出手段を介した連携にも繋がる。
【００５２】
吸込みノズルの掃除性能の更なる改良は、吸い込みノズルの通常の操作方向に関して、掃除シートの前後で床の吸い込みが行われることによって達成される。ここにおいて、操作方向に無関係に一方の吸込み口が働かなくされ、その一方、他方の吸込み口は働くようにされている。更に好ましくは、操作方向における前方の吸込み口は常に働くようにされ、その一方、同一の操作方向における後方の吸込み口は閉じられている。その結果、吸込み力は全て、各都度、先端側の吸い込みに向けられている。
【００５３】
掃除シートは、掃除工程の終了後に、掃除機の吸込みノズル又は必要に応じて設けられた掃除機の吸い込みノズルの構造形成部から外される。これは、最も簡単には、手で行われる。特に衛生的観点から、水拭き掃除の終了後に掃除シートが廃棄のために吸い込まれる構成、これが水拭き掃除中に掃除シートを支持するユニットを介して吸い込まれる構成は、好ましい。これは、好ましい構成においては、特に掃除機の吸込み電力を短時間上昇させることによって行われる。掃除機は、このために例えば対応する接触検出機構を備えるのでもよい。掃除シートを保持する吸込ノズルは、このために、掃除シートに一致するように面する吸込み開口を有する。通常動作において、即ち、制御された吸込み電力での通常の吸い込みにおいて、掃除シートは、適度に作用する減圧を介して、掃除機の吸込みノズルに貼り付けられたままである。
【発明を実施するための最良の形態】
【００５４】
以下、本発明は、複数の実施例のみが図示された付随の図面を参照して、より詳細に説明されている。図１に関連して、まず、床３の処理のための吸込みノズル２を備えた掃除機１が、記載されている。図示された実施例においては、ノズルのうちのカーペットの吸込みノズルを対象とする。以下に記載のこのノズル２及び更にノズル２と掃除シート４との組み合わせの特徴には、しかしながら、固い床の掃除用のノズルをも考慮可能である。ここで、それらにおいては、吸込みノズル２に、例えば固い床及びカーペットに応じた選択的な掃除のための沈み込み可能な掃除ブラシが取り付け可能である。
【００５５】
吸込みノズル２は、実質的に床３に載るノズルヘッド５と、ノズルヘッド５を掃除機１に接続するノズル本体６とを、合わせてなる。ここにおいて、ノズル本体６には、掃除機１に吸込みノズル２を流体工学的に、又必要に応じて電気的に接続するために、接続アダプタ７が設けられている。ノズル本体６を通り接続アダプタ７から出ていくように、吸込みチャネルが伸びていく、ここで、チャネルはノズルヘッド５内の吸込み口８に開口している。
【００５６】
接続アダプタは上方のノズル本体６の端部に設けられ、接続アダプタ７が、回動部において、吸込みノズル２の通常の操作方向ｒに直交する軸の周りに回動となっている。この回動軸に向けてさらに、ノズル本体６の一方を床３上で支持する走行ローラ９が設けられている。
【００５７】
図２の単体図面から理解されるように、吸込みノズル２の下側に、ノズル底１０を削っている溝１１が設けられ、これ１１は、チャネル状に吸込み口につながってこれとの流体工学的な接続を担う。図示された実施例においては、そのような４つの溝１１が設けられ、これら１１は、ノズル側に対をなしかつ、操作方向ｒに直交する方向に約４５°の角度でノズル先端部１２に向かって伸びている。これらの溝１１は、ノズル先端部１２に向かって開口している。その結果、図示された実施例においては、ノズル先端部１２に４つのスロット状の吸込み開口１３が設けられている。
【００５８】
吸込み口８と流体工学的に接続された溝１１は、床掃除のために、特にカーペット掃除のために、手入れする床方向に関して均等に開口する。開口幅は、溝１１の長手方向に直交する方向に測った領域、即ち、図示された実施例において溝の長さの約３分の１から６分の１と一致する。
【００５９】
掃除シート４と組み合わせて吸込みノズル２を使用するために、掃除シート４を最終的に支持する構造形成部１４が設けられている。ここにおいて、これは取付け部材を指し、好ましくは樹脂を射出成形する方法で製造される。
【００６０】
取付け部材又は構造形成部１４は、ノズル底１０内に形成された掃除エレメントに調節され、また、溝１１と吸込みノズル８によって形成される幾何形状にも調節されている。各溝１１には、構造形成部１４の格子部分１５が割り当てられ、格子部分１５は溝１１と一致しこれを覆うように構成されている。格子構造を介して、溝の開口部に対して複数の平らで縮められた開口１６が形成されている。
【００６１】
吸込み口８部分では、構造形成部１４が図３の実施例においては円板状に塞ぐように構成されている。
【００６２】
さらに、構造形成部１４は、溝１１又は吸込み口８内に取り付けられた後、近傍のノズル底と略平らな面となっている。
【００６３】
取付け部材は溝１１又は吸込み口８に、挟持するように又は係合するように保持されている。
【００６４】
図４に、構造形成部１４又は取付け部材の他の構成が図示されている。ここにおいては、上記の格子構造状のものを対象とせず、むしろ樹脂を射出成形して形成される平板状の取付け部材を対象とする。後者は、溝１１及び吸込み口８によって定まる幾何形状に調節されている。溝１１に割り当てられた平板状の部材１７において、溝１１との通気のためにスロット状の開口１８が設けられている。
【００６５】
また、円板状の閉鎖部材１９は、この実施例においても、スロット状の開口２０が設けられている。これ２０は、通常の操作方向に向けられており、その一方、開口１８は溝に割り当てられた部材１７内で溝１１の長手方向に向けられている。
【００６６】
構造形成部１４又は取付け部材の構成に関係なく、構造形成部１４をノズルの底１０又は、溝１１と吸込み口８に取り付けた場合、ノズルの先端側の吸込み開口１３は開口したままである。
【００６７】
吸込みノズル２は、取付け可能となるように図８内の構成のような掃除シート４と輪郭が適合する。吸込みノズル２の底部形状に対応して、掃除シート４も厚くて丸められた端部を有し、略台形状の輪郭を有する。
【００６８】
掃除シート４は、多層具体的には２層に形成され、繊維素材層状の掃除活性層２１と必要に応じて面全体に広がる密閉層２２とからなる。後者２２は、図示された実施例においてはフォイル、例えば樹脂製のフォイルである。
【００６９】
掃除シート４は、密閉層２２が掃除活性層２１と取り付けられた構造形成部１４との間に位置するように吸込みノズル２に取り付けられる。掃除シート４の吸込みノズル２への保持は、減圧のみで実現される。この減圧は、掃除機１の作動中に溝１１又は吸込み口８部分に発生する。取り付けられた構造形成部１４は、それ自身が均等に支持され、掃除シート４を平面的に搭載し、その結果、掃除シート４は、一部分が溝１１又は吸込み口８部分に吸い込まれることにはならない。
【００７０】
密閉層２２は気密に構成され、これが減圧による吸付け効果を更に下支えしている。さらに、密閉層２２はまた水を通さないように構成され、床３上の液体の吸い上げが掃除シート４を介して回避されるのでもよい。さらに、同様の構成において、掃除シート４はまた、濡れシートとして提案され、更には、例えば掃除活性層２１内に収容される掃除手段が設けられるのでもよい。
【００７１】
掃除シート４の吸込みノズル２への取り付けは、吸込みノズル２を掃除シート４上に載せその後掃除機１を作動させる、最も簡単な方法で行われる。その結果、簡単で衛生的な取り扱いができる。また、掃除シート４の除去は、掃除機１を停止させ、それに対応して吸込みノズル２内の減圧をそこに保持されている掃除シート４が落ちるまで低下させる、最も簡単な方法で行われるように構成されているのでもよい。
【００７２】
掃除シート４の密閉層２２、これに応じて結び付けられた掃除シート４の気密性を介して、吸込み力はノズル先端部１２において開いたままの吸込み開口１３で高められる。この吸込み開口１３を介して、水拭き工程で掃除シート４が面に達する前に粗い埃を吸い上げることができる。その結果、吸込みノズル２の通常の操作方向、同様に通常の水拭き方向ｒにおける前方部分が、水拭きのために吸い込みによって前処理される。その結果、無駄を生じない、何故ならば水拭きする面に対する一連の吸い込みと拭き取りとが離れているからである。むしろ、これらの掃除工程は、掃除シート４が設けられた提案に係る吸込みノズル２を介して、一度に片付けられる。
【００７３】
吸込みノズル２、特にノズルヘッド５は、床面状のもののみを普通に吸い取るために予め構成されたノズルユニットとして形成されるのでもよい。これら２、５は、さらに代わりに、異なる床質に対して選択的に掃除するように構成されていてもよい。これでは、例えば、固い床の掃除とカーペット床の掃除とに応答して、先端カーテン手段、例えばブラシリボン及び／又はパッキングリボンが上がり下がりするように切り替えられて、選択的に掃除が行われる。
【００７４】
図１０及び図１１に図示されているように、選択された構成に応じて吸込みノズル又はノズルヘッド５に取付け部材２３が設けられる、更に別の構成も可能である。それぞれにカーペットの床掃除用の取付け部材２３が図示されている。取付け部材２３はノズルヘッド５に下側から差し込まれて保持されている。ここでさらに、特に吸込みノズル８、同様に溝１１、更に先端側の吸込み開口１３が取付け部材２３内に形成されている。
【００７５】
図１０内の構成のように、取付け部材２３には、上記の構造形成部１４が別部材として取付け可能、更には差込み可能となっている。そのために、構造形成部１４は図示された実施例において係止部材２４を有し、これ２４は取付け部材２３への取り付けにおいて、対応する係止受部と一体に機能する。その結果、構造形成部１４には、選択的に取付け部２３が取り付けられる、即ち、水拭き掃除が望まれる場合は更に掃除シート４が取付け可能である。
【００７６】
更に代わりに、取付け部材２３は図１１に図示するように構造形成部１４と同時に取外し可能であり、もって、構造形成部１４と取付け部材２３とがノズルヘッド５用の共通かつ一体の取付け部材をなすのでもよい。その結果、このように構成された取付け部材２３は、好ましい構成において掃除シート４を取り付けた後の床の水拭き掃除のみに適しているのでもよい。
【００７７】
図１２〜図１４は、構造形成部１４と掃除シート４との間に中間部材２５が配置される、他の実施例を示す。この中間部材は、図１２に図示された実施例においては、いずれにしても掃除シート４に対向するシリコン樹脂部材２６として構成される。シリコン樹脂部材２６は、ここでは、掃除シート４に対向する構造形成部１４の上側の面全面に亘り、かつ溝１１と吸込み口８を覆う格子部分１５の近傍に設けられるのでもよい。代わりに、中間部材２５は、図１２に図示されているように、格子部分１５の両側にシリコン樹脂ロープ状の格子部分をもたらすのでもよい。この構成の結果、構造形成部１４と掃除シート４との間の摩擦が上昇し、これが掃除シート４を構造形成部により好く貼り付けることをもたらす。これは、さらに、特に床掃除工程において掃除シート４を構造形成部１５により好く貼り付けることに繋がる。掃除シート４は、ここにおいて所望の位置に確実に保持される。
【００７８】
床の凸凹の補償のために、中間部材２５は、他の実施例においては弾性体で形成され、更には、図１３に模式的に図示されているように発泡体層２７として構成される。この発泡体層２７は好ましくは脱落しないように構造形成部１４に取り付けられていて、これ２７は更に好ましくは構造形成部１４を全面的に覆っている。ここで、さらに、発泡体層２７は、掃除シート４を更に強く固定するために減圧に応答して空気を通過させるように調整されている。その結果、溝１１を介した掃除シート４の吸い込みは、発泡体層２７を介してここから行われる。更に別の構成においては、また、発泡体層２７が溝１１にのみ割り当てられて空気を通し、一方で溝１１側の領域が空気を通すように構成されるのでもよい。
【００７９】
中間部材２５が弾性を有する発泡体層２７状に構成されることを選択した結果、水拭き掃除の途中で床３の凸凹があっても、少なくとも床３を掃除シート４で略全面的に覆うことができる。
【００８０】
また、図１４内の実施例のように、中間部材２５が成形された発泡部材２８によって構成されることも可能である。この発泡部材２８は、掃除シート４に向き、構造、例えばピラミッド状の構造が形成された表面を有する。この構造は、シートの貼り付け能力の向上を可能にし、更に掃除シート４の位置合せの手助けともなる。
【００８１】
成形された発泡部材２８は、上記の実施例の結果、構造形成部１４と貼り付けられていて、さらに好ましくは、後者１４を全面的に覆う。ここにおいて、発泡部材２８は少なくとも部分的に溝１１に割り当てられて空気を通すように調節され、その結果、掃除シート４の吸い込みが発泡部材２８に貼り付けるための発泡部材２８を介して行われる。
【００８２】
掃除シート４に設けられる密閉層２２は、好ましい構成において掃除シート４の全面に亘って広がる。特に気密に構成された密閉層２２を介して、上記の減圧に伴う掃除シート４の固定は、構造形成部１４への吸い込みによって達成されている。図１５内の他の実施例において示されているように、密閉層２２は、代わりに単に部分的に形成されているのでもよい。すなわち、掃除シートの吸い込みのために使用される開口であって空気流し込み用の構造形成部１４のものに、取り付けられる他の密閉層部分２９が形成されているのでもよい。図１５に図示された実施例においては、密閉層領域２９は、掃除シート４内に、ノズル底１０の溝１１又は構造形成部１４の格子部分１５に割り当てられるように形成されている。密閉層部分２９の外側で、掃除シート４は、少なくとも空気が通るように構成されている。
【００８３】
先端側の吸込み開口１３の前方に設けられたパッキングリボン３０は、図１６内の他の実施例において、掃除シート４に作用する減圧を強めるために使用され、もって掃除シート４の構造形成部１４への付着が強められる。これには、吸込み力の上昇が伴う。
【００８４】
パッキングリボン３０は、例えばゴムリボン状に、吸込みノズル２の通常の操作方向ｒに関して吸込み開口１３の前方に広がり、これ３０はノズル先端部１２側を実質的に閉鎖する。これでもって、先端側の吸込み開口は、床３の方向に関して下に向きがちになる。パッキングリボン３０は、通常の操作方向ｒにおける支持を筐体側の、吸込み開口１３側で仕切る板状エレメント３１で受ける。
【００８５】
更に代わりに、パッキングリボン３０はまた窓状のスロットを有し、もって、吸込み開口１３が完全に覆われないのでもよい。掃除シート４に作用する減圧を強めるための吸込み開口１３の密閉は、単に部分的にのみ達成される。
【００８６】
掃除シート４の構造形成部１４への保持を更に改良することは、掃除シート４に固定部材３２を設けることによって達成されている。そのような固定部材３２は、全体として平らな掃除シート４の構成の場合、掃除シートの必要な区間に亘って設けられる。その結果、これ３２は、好ましい構成において、動作の途中に掃除する床３に対する掃除作用へは影響しない。これに関連して、更に好ましくは、ノズル先端部１２側の構造形成部１４の端部を取り囲むように、ノズル先端部１２に割り当てられる掃除シート４の端部に固定部材３２が設けられる。
【００８７】
図１７及び図１８において固定部材３２が平坦な硬質樹脂部材３３からなる実施例が図示されている。これは、例えば、掃除シート４の取り付けられる端部に分布し、好ましくは、通常の操作方向ｒに直交する掃除シート４の幅全体に亘って完全に広がっている。代わりに、平坦な固定部材３２はまた、掃除シート材料の相応の加工、例えば圧縮及び／又は樹脂との積層を介して形成されるのでもよい。
【００８８】
このように形成された固定部材３２には、通常の操作方向ｒに関して直交する方向にスロット状の貫通欠部３４が設けられる。これ３４は、掃除シート４を構造形成部１４に取り付けた状態において、ノズルの先端側の吸込み開口１３に取り付けられる。
【００８９】
構造形成部１４の割り当てられる端部の取り囲みは、吸込みノズル２の作動中に作用する減圧を介して達成される（図１８を参照。）。ここにおいて、保持された掃除シート４の固定部材３２は、活性層２１の平面状の面から変形された面内、例えば図示された実施例において活性層２１に対して下向きの面に、移されている。固定部材３２を介して、ノズルの先端側の吸込み開口１３の少なくとも部分的な閉鎖が達成されている。固定部材３２中に形成された貫通欠部３４は、これによって、床３側に向けられた対応する吸込み開口を形成する。
【００９０】
代わりに、固定部材３２は、更に図１９に示されているように、掃除シート材料から直接実現されているのでもよい。この固定部材３２は、その結果、掃除シート４の活性部分と比較して変化なく、そのため、必要に応じて密閉層を有する。一般的に緩んだ掃除シート４の構成の結果、構造形成部１４の端部側に亘って突き出している固定部材３２は、吸込みノズル２の作動中に吸い込まれ、構造形成部１４の割り当てられた周縁部に覆いかぶさる。
【００９１】
それぞれ、構造形成部１４のノズルの先端側の端部に割り当てられている掃除シート４の固定部材３２が、図示されている。さらに、他の固定部材３２、例えばノズルヘッド５又は構造形成部１４の後方部分に割り当てられて設けられる。その結果、固定部材３２の吸い込みと取り囲みによって、構造形成部１４上の掃除シート４の位置が滑らないように確保されている。
【００９２】
掃除シート４は、好ましい構成においては、構造形成部１４又はノズルヘッド５への取り付け時に既に湿っていて、例えば特に掃除溶液で掃除シート４は加湿されている。掃除溶液は、最も簡単には水からなり、さらに必要に応じて表面活性剤等の清掃に有益な材料を添加するのでもよい。掃除の工程中に、掃除シート４は、床３上に連続的に掃除溶液を散布することとなる。
【００９３】
代わりに、掃除シート４は、図２０及び図２１に模式的に図示されているように、掃除活性層２１を有するのでもよい。即ち、これ４は、構造形成部１４と反対方向を向いた面上に、掃除溶液を格納するマイクロカプセル３５からなる層を有する。このように準備された掃除シート４を吸込みノズル２に取り付けて掃除する床３に載せた後に、マイクロカプセル３５は、吸込みノズル２及び必要に応じて掃除機１を介した圧力の作用の下に破裂して、格納された掃除溶液を露出させる。掃除溶液は、これによって、それまで乾燥していた掃除シート４を通って直接引き出され、通常の方法で掃除工程中に繰り返して連続的に供給される。この構成の結果、掃除シート４の加湿は、掃除への使用の始まりまでに行われる。
【００９４】
マイクロカプセル３５は、例えば、極薄の樹脂フォイルからなり人参状に形成された容器によって形成されている。
【００９５】
図２２及び図２３は、掃除シート４の他の実施例を示す。これは、この場合、掃除溶液で加湿される、多層の紙素材からなる。この加湿された状態で、掃除シート４は必要な強度を有する。強度は、また、水拭き工程において、掃除シート４を備えた吸込みノズル２の前後移動によって擦り切れないことを要求する。
【００９６】
掃除シート４に蓄えられた掃除溶液を充分に吐き出した後、掃除シート４は干からびる。このことは、掃除シート４の選択された構成に基づいて、多層の紙素材から、掃除シート４を割いて分解し小さくて不規則な多数のシート片３６にさせる（図２３を参照。）。今や乾燥したこれらのシート片３６は、水拭き掃除と連携して、吸込みノズル２の構成の更なる変更なしに、ノズル２を介して吸い込まれる。これは、例えばノズルの先端側の吸込み開口１３を介して行われる。しかしながら、更にまた、掃除シート４が埃程度又は籾殻程度のシート片３６に分解したとき、格子構造部の格子部分１５の開口１６を介しても行われる。
【００９７】
他の構成において、掃除シート４はポリウレタンからなり、これは、例えば掃除用液等の掃除に役立つ物質の他に必要に応じて表面活性剤を添加した研磨剤３７を有する。この研磨剤３７は、合わないで作用し部分的に掃除活性層表面に析出している。水拭き掃除中に、床３から運び去られる埃は泡を介して除去される。ここにおいて、さらに、研磨剤を用いた床３の掃除の途中で、部分的に露出した研磨剤３７は、埃にまみれた泡を連続的に運び去る。このように構成された掃除シート４は、その結果、床掃除工程において、その後、並びにこそぎ落としつつ取り去ることによって掃除シートの厚さを減らしつつその後分解する。ここにおいて、運び去られた泡粒子及び取れた研磨剤は、既に進行中の掃除工程中で直接ノズルの先端側の吸込み開口１３を介して、又は代わりに水拭き掃除の終了後に別の掃除工程で、乾燥される。
【００９８】
掃除シート４を構成する発泡ポリウレタンは、構造形成部１４又はノズル底１０に減圧を介して貼り付けて固定するために、必要に応じて構造形成部を省きつつ、気密に、更に好ましくは防水的に構成される。
【００９９】
図２５は、他の実施例における、掃除後の汚れた掃除シート４を除去するための他の方法を示す。掃除シー４は、ここでは、全体として除去されるために吸込みノズル２を介して吸い込まれる。そのために、さらに、図示された実施例において掃除機１に割り当てられて、必要に応じて別個に構成されたキーボタン３８が設けられている。これ３８を介して、短時間にファンの入力電力が高く上昇可能となる。吸込みノズル２において掃除シート４に作用する吸込み気流が上昇することをも介して、掃除シート４は吸込みノズル２を介して吸い込まれる。
【０１００】
図２２〜図２５内に図示された実施例のような掃除シートの除去は、ユーザが触れることなく実行され、もって、それぞれで衛生的な除去の解が達成されている。掃除シート４と共に、収容された埃も同時に除去される。
【０１０１】
図２６〜図２９は、吸込みノズル２の他の実施例を示す。これらにおいては、接続アダプタ７を貫通し掃除機１の吸込みファンと流体工学上接続する吸込みチャネル３９は、２つの吸込みチャネル系統に分かれる。すなわち、これ３９は、減圧で掃除シート４を貼り付けて保持することに使用される保持用吸込みチャネル系統４０と、床３を直接吸い込むことを可能にする吸込み用チャネル系統４１とに分離される。図２９内の模式的構成から理解されるように、分岐部４２は、吸込みチャネル３９内で実質的に流れの下流方向に関して接続アダプタ７の直ぐ後ろに形成されている。
【０１０２】
分岐部４２から出発して、吸込み用チャネル系統４１は保持用吸込みチャネル系統４０の上方に伸びていき、これ４１はノズル先端部１２まで繋がる。ここで、吸込み用チャネル系統４１は、ノズルヘッド５の全幅に亘って広がり床３に向かって下側に開口する床吸込み部４３を形成する。これは、通常の操作方向４に直交する方向に向けられスロット状の開口を有するノズル状に形成されている。
【０１０３】
保持用吸込みチャネル系統４０は、全く下側即ちノズル底部１０と反対側に開口するシート保持室４４を形成する。このシート保持室４４は、保持用吸込みチャネル系統４０を吸込み用チャネル系統４１に対して分離するデッキ４５を介して、分岐部４２内に吸込み気流出口４６を残すのみで実質的に天井側が閉じられるように、取り囲まれている。この吸込み気流出口４６は、最終的にシート保持室４４をなす保持用吸込みチャネル系統４０に比較して、更には流れの上流に繋がる吸込みチャネル３９に比較して断面的に小さくなっている。もって形成された隘路はベンチュリ管のように作用する。このように形成されたチャネルの隘路は、その結果、高い速度の吸込み気流に接してシート保持室４４内に強められた減圧をもたらす。
【０１０４】
シート保持室４４は、ノズル底１０側に割り当てられ構造形成部１４によって覆われている。ここでは、これ１４は、図示された実施例においては、第１の実施例の構成に対応して、格子状の構造形成部１４を対象とする。格子状の構造形成部１４は、更に図示された実施例において、吸込みノズル２においてノズル底面上で外れないように固定されている。代わりに、入れ替え可能に固定可能な構造形成部１４でもよい。
【０１０５】
複数の構造形成部−開口１６を介して、構造形成部１４の下側に配置された掃除シート４は、掃除機１の作動中に減圧によって張り付いて固定される。ここにおいて、さらに、掃除シート４は構造形成部１４の面全体に亘って広がっている。更に、ノズルの先端側の床吸込み部４３を除外して、構造形成部１４及び掃除シート４がノズル底の残りの面全体に広がることが提案される。
【０１０６】
掃除機の吸込みノズル１の床３上の移動の途中で、粗い粒子又は細かい粒子は、対応する床部分掃除シート４に接触する前に、先端側の床吸込み部４３を介して、吸い上げられる。吸込み気流を切った後に、場合によっては起こりうる、吸込み用チャネル系統４１内で落下した粗い埃又は吸い込んだ粒子が保持用吸込みチャネル系統４０内に入り込むことを回避するため、次のように構成される。即ち、保持用吸込みチャネル系統４０は、フィルタ状の分離手段４７を介して吸込みチャネル３９と、さらに吸込み用チャネル系統４１とに分けられる。この分離手段４７は、図示された実施例において、分岐部４２部分に配置されたフィルタエレメントである。
【０１０７】
操作方向ｒに関して、床吸込み部４３と操作方向ｒに繋がる掃除シート部分との間には、床３上に載せるために形成された刃状パッキン４８が設けられている。これ４８は、通常の操作方向ｒに対して直交する方向に床吸込み部４３の幅全体にわたって広がり、垂直方向に伸びた断面を有する。この断面は、選択された操作方向とは無関係に、刃状パッキン４８の偏向を可能にする。
【０１０８】
この刃状パッキン４８は、掃除シート４が床吸込み部４３を通して吸い込まれる気流を介して乾燥させられることを、防止する。さらに、刃状パッキン４８は、ドアの敷居等の平坦な障害物を乗り越える場合に補助手段を提供する。掃除機の吸込みノズル２を押して操作方向ｒ、即ち、ユーザから見て前方に移動させる場合、刃状パッキン４８の開放端は、割り当てられた掃除シート４の端部上に載る。その結果、掃除シート４は、例えば敷居の乗り越えにおいて、裂けたり分断されたりしない。刃状パッキン４８は、その結果、同時に乗り越え補助体としても役立つ。
【０１０９】
図３０に典型的に図示されているように、それぞれ（４８）、ノズル先端部１２とノズルの背部側との両方に取り付けられ、床吸込み部４３が提供されている。そのため、個々の床吸込み部４３、４３’は、刃状パッキン４８、４８’に割り当てられている。ここで、操作方向前方の刃状パッキン４８は、その都度、付随の床吸込み部４３には影響しない。これ４８は、面する掃除シート４の端部に重なり、操作方向後方の刃状パッキン４８’は、同じ方向に向けられ、その結果、操作方向後方に配置された床吸込み部４３’を密閉するように閉じる（更に、図３１と図３２を参照。）。操作方向後方の床吸込み部が密閉されるように閉鎖される毎に、これによって、全ての吸引力は、その都度、操作方向前方の床吸込み部４３に向けられる。これによって、掃除シート４の前方の床３上にある粗い埃又は汚れの吸い取りが改善されることとなる。
【０１１０】
図３０に模式的に図示されているように、掃除機の吸込みノズル２の前方と後方にそれぞれ床吸込み部４３、４３’が提供されるため、これらは、前方の吸込みチャネル系統４９内に後方の吸込みチャネル系統５０を接続する吸込みチャネル３９の分岐を介して、流体工学的に接続されている。分岐部４２は、従って、吸込みチャネル３９の他に３つの吸込みチャネル系統を有する。
【０１１１】
図３３及び図３４に、掃除機の吸込みノズル２と床との接触が検知される実施例が図示されている。以下の説明は、それぞれ前側での床の吸い込みに関連している。掃除機の吸込みノズル２の後方部分で必要に応じて行われる他の吸い込みにおいては、同様の仕掛けが講じられている。
【０１１２】
床との接触を検出するため、ノズルの先端側に、通常の操作方向ｒの床吸込み部４３の前方に接触検出機構５１が設けられている。これ５１は、床と接触した状態で床３上に載る接触皿５２を有する。接触皿５２から垂直方向上方に伸びるピン５３は、ノズル底１０を貫通する。ピン５３の他の自由端には、ノズルの長手方向に伸びるクランプ状の閉鎖板５４が連結されている。
【０１１３】
ピン５３を取り囲み、一端が接触皿５２を支持し他端がノズル底１０を支持する圧力バネ５５は、接触検出機構５１を垂直方向下方に押し付ける。これ５５は、その結果、掃除機の吸込みノズル２が床３上に据えられたとき、接触検出機構５１の対応する垂直方向の沈み込みによって圧縮される。接触検出機構のこの状態において、閉鎖板５４は、図３３に示すような開いた状態に保持されている。
【０１１４】
掃除機の吸込みノズル２を床３から持ち上げることによって、接触検出機構５１又は圧力皿５２への床上に対する支持は、除かれる。圧力バネ５５は、自身の緩和の結果、接触検出機構５１を垂直方向ノズル底１０へ、下方に相対的に広げるように作用する。その結果、このとき沈み込むピン５３を介して閉鎖板５４は、筐体寄りの制御面５６によって、対向する床吸込み部４３を閉鎖する、図３４のような状態に切り替わる。
【０１１５】
上記の構成により、掃除機の吸込みノズル２を床から持ち上げることによって、１つ又は複数の床吸込み部が閉じられ、もって、シート保持室４４部分の減圧が強くなる。もって、掃除機の吸込みノズル２をこのように持ち上げたとき、必要に応じて水分供給されて重くなった掃除シート４がノズルの下側の面に保持されることにもなる。
【０１１６】
単独でも上記の対象との組み合わせにおいても重要な本発明の対象は、保持用吸込みチャネル系統４０が吸込み用チャネル系統４１の下側に伸びる掃除機でもある。
【０１１７】
単独でも上記の対象との組み合わせにおいても重要な本発明の対象は、吸込みチャネル系統４０、４１が少なくとも部分的に相互に並んで水平的に伸びている掃除機でもある。
【０１１８】
単独でも上記の対象との組み合わせにおいても重要な本発明の対象は、機械的手段がマジックテープ（登録商標）からなる掃除機でもある。
【０１１９】
単独でも上記の対象との組み合わせにおいても重要な本発明の対象は、機械的手段がロック手段である掃除機でもある。
【０１２０】
単独でも上記の対象との組み合わせにおいても重要な本発明の対象は、保持用吸込みチャネル系統４０が掃除シート４に対して上流で通気チャネルが狭まっている掃除機でもある。
【０１２１】
単独でも上記の対象との組み合わせにおいても重要な本発明の対象は、通気チャネルの狭まりが両方の通気チャネル系統４０、４１の分岐部４２に形成されている掃除機でもある。
【０１２２】
単独でも上記の対象との組み合わせにおいても重要な本発明の対象は、掃除機の吸込みノズル２の通常の操作方向ｒに関して掃除シート４の前後に吸込み用チャネル系統４１の開口が形成されている掃除機でもある。
【０１２３】
単独でも上記の対象との組み合わせにおいても重要な本発明の対象は、吸込み用チャネル系統４１が後ろ側の吸込みチャネル系統５０と前側の吸込みチャネル系統４９とに分岐している掃除機でもある。
【０１２４】
単独でも上記の対象との組み合わせにおいても重要な本発明の対象は、前方の床吸込み部４３の開口も後方の床吸込み部４３’の開口も、掃除シート部分に対して水平方向に、床３条に乗せるために形成された刃状パッキン４８、４８を介して分離されている掃除機でもある。
【０１２５】
単独でも上記の対象との組み合わせにおいても重要な本発明の対象は、保持用吸込みチャネル系統４０内の減圧の強化が床吸込み部４３、４３’の吸込み口の断面を減らすことによって達成されている掃除機でもある。
【０１２６】
単独でも上記の対象との組み合わせにおいても重要な本発明の対象は、掃除機の吸込みノズル２の持ち上げが床との接触状態を検出する接触検出機構を介して通知される掃除機でもある。
【０１２７】
単独でも上記の対象との組み合わせにおいても重要な本発明の対象は、掃除機の吸込みノズル２を床３から持ち上げている間、吸込みチャネル３９が閉じられている掃除機でもある。
【０１２８】
単独でも上記の対象との組み合わせにおいても重要な本発明の対象は、吸込み口８に繋がる１つ又は複数の溝１１を形成するように掃除機の吸込みノズル２が形成されていて、溝１１が少なくとも部分的に開口し、また空気を通し掃除シート４と吸込みノズル２との間に配置される構造形成部１４も設けられている掃除機でもある。
【０１２９】
単独でも上記の対象との組み合わせにおいても重要な本発明の対象は、構造形成部１４が吸込みノズル２内で下方から取付け可能な樹脂部材である掃除機でもある。
【０１３０】
単独でも上記の対象との組み合わせにおいても重要な本発明の対象は、構造形成部１４は、吸込み貫通欠部１６、１８、２０を有する掃除機でもある。
【０１３１】
単独でも上記の対象との組み合わせにおいても重要な本発明の対象は、構造形成部１４と掃除シート４との間に中間部材２５が設けられている掃除機でもある。
【０１３２】
単独でも上記の対象との組み合わせにおいても重要な本発明の対象は、中間部材２５が射出成形された発泡材料２８から形成されている掃除機でもある。
【０１３３】
単独でも上記の対象との組み合わせにおいても重要な本発明の対象は、中間部材２５が弾性を有する掃除機でもある。
【０１３４】
単独でも上記の対象との組み合わせにおいても重要な本発明の対象は、中間部材２５が発泡材料から構成される掃除機でもある。
【０１３５】
単独でも上記の対象との組み合わせにおいても重要な本発明の対象は、中間部材２５が構造形成部１４のカバーからなる掃除機でもある。
【０１３６】
単独でも上記の対象との組み合わせにおいても重要な本発明の対象は、中間部材２５がいずれにしても掃除シート４に対向するシリコン樹脂２６からなる掃除機でもある。
【０１３７】
単独でも上記の対象との組み合わせにおいても重要な本発明の対象は、密閉層２２が気密になっている掃除機でもある。
【０１３８】
単独でも上記の対象との組み合わせにおいても重要な本発明の対象は、密閉層２２が掃除シート４内で部分的に密閉層部分２９を形成する掃除機でもある。
【０１３９】
単独でも上記の対象との組み合わせにおいても重要な本発明の対象は、密閉層部分２９が溝１１又は吸込み口８に割り当てられている掃除機でもある。
【０１４０】
単独でも上記の対象との組み合わせにおいても重要な本発明の対象は、掃除シート４が吸込みノズル２の底面形状と一致する輪郭を有する掃除機でもある。
【０１４１】
単独でも上記の対象との組み合わせにおいても重要な本発明の対象は、掃除シート４が濡れ掃除シートである掃除機でもある。
【０１４２】
単独でも上記の対象との組み合わせにおいても重要な本発明の対象は、吸込み開口１３に刃状パッキン３０が割り当てられている掃除機でもある。
【０１４３】
単独でも上記の対象との組み合わせにおいても重要な本発明の対象は、掃除シート４が多層に構成されている掃除機でもある。
【０１４４】
単独でも上記の対象との組み合わせにおいても重要な本発明の対象は、密閉層２２がフォイルによって構成されている掃除機でもある。
【０１４５】
単独でも上記の対象との組み合わせにおいても重要な本発明の対象は、活性層２１が繊維素材層である掃除機でもある。
【０１４６】
単独でも上記の対象との組み合わせにおいても重要な本発明の対象は、保持された掃除シート４が平らに広がっている掃除機でもある。
【０１４７】
単独でも上記の対象との組み合わせにおいても重要な本発明の対象は、掃除シート４少なくとも周縁部に少なくとも部分的に固定部材３２が設けられている掃除機でもある。
【０１４８】
単独でも上記の対象との組み合わせにおいても重要な本発明の対象は、固定のための固定部材３２が吸い込まれて定着する掃除機でもある。
【０１４９】
単独でも上記の対象との組み合わせにおいても重要な本発明の対象は、固定部材３２が掃除シート４と同一材質のもので構成されている掃除機でもある。
【０１５０】
単独でも上記の対象との組み合わせにおいても重要な本発明の対象は、固定部材３２が硬質樹脂からなる掃除機でもある。
【０１５１】
単独でも上記の対象との組み合わせにおいても重要な本発明の対象は、固定部材３２が貫通欠部３４を有する掃除機でもある。
【０１５２】
単独でも上記の対象との組み合わせにおいても重要な本発明の対象は、掃除シート４の固定部材３２が掃除活性層２１の平面状の広がりから曲がった面内で伸びていく掃除機でもある。
【０１５３】
単独でも上記の対象との組み合わせにおいても重要な本発明の対象は、掃除シートでもある、ここにおいて、掃除シート４は掃除シートの保持を好ましく補完する手段を有する。
【０１５４】
単独でも上記の対象との組み合わせにおいても重要な本発明の対象は、掃除シートでもある、ここにおいて、機械的手段はマジックテープ（登録商標）の一部である。
【０１５５】
単独でも上記の対象との組み合わせにおいても重要な本発明の対象は、掃除シートでもある、ここにおいて、機械的手段はロック手段である。
【０１５６】
単独でも上記の対象との組み合わせにおいても重要な本発明の対象は、掃除シートでもある、ここにおいて、掃除シート４は掃除機の吸込みノズル２の底面形状と同一の外形を有する。
【０１５７】
単独でも上記の対象との組み合わせにおいても重要な本発明の対象は、掃除シートでもある、ここにおいて、掃除シート４は濡れ掃除シートである。
【０１５８】
単独でも上記の対象との組み合わせにおいても重要な本発明の対象は、掃除シートでもある、ここにおいて、掃除シート４は多層に形成されている。
【０１５９】
単独でも上記の対象との組み合わせにおいても重要な本発明の対象は、掃除シートでもある、ここにおいて、密閉層２２はフォイルからなる。
【０１６０】
単独でも上記の対象との組み合わせにおいても重要な本発明の対象は、掃除シートでもある、ここにおいて、掃除活性層２１は繊維素材層である。
【０１６１】
単独でも上記の対象との組み合わせにおいても重要な本発明の対象は、掃除シートでもある、ここにおいて、密閉層２２は掃除シート４内で密閉層部分２９を部分的に形成する。
【０１６２】
単独でも上記の対象との組み合わせにおいても重要な本発明の対象は、掃除シートでもある、ここにおいて、固定のための固定部材３２は吸い込まれて定着している。
【０１６３】
単独でも上記の対象との組み合わせにおいても重要な本発明の対象は、掃除シートでもある、ここにおいて、固定部材３２は掃除シート４と同一材質からなる。
【０１６４】
単独でも上記の対象との組み合わせにおいても重要な本発明の対象は、掃除シートでもある、ここにおいて、固定部材３２は硬質樹脂からなる。
【０１６５】
単独でも上記の対象との組み合わせにおいても重要な本発明の対象は、掃除シートでもある、ここにおいて、固定部材３２は貫通欠部３４を有する。
【０１６６】
単独でも上記の対象との組み合わせにおいても重要な本発明の対象は、掃除シートでもある、ここにおいて、掃除シート４は掃除溶液を含んでいる。
【０１６７】
単独でも上記の対象との組み合わせにおいても重要な本発明の対象は、掃除シートでもある、ここにおいて、掃除シート４の掃除活性層２１は、掃除溶液を蓄積し圧力で開放可能なマイクロカプセル３５を有する。
【０１６８】
単独でも上記の対象との組み合わせにおいても重要な本発明の対象は、掃除シートでもある、ここにおいて、掃除シート４は、水分を含む多層の紙素材からなる。
【０１６９】
単独でも上記の対象との組み合わせにおいても重要な本発明の対象は、掃除シートでもある、ここにおいて、掃除シート４は、掃除に有効な物質を有するポリウレタンからなる。
【０１７０】
単独でも上記の対象との組み合わせにおいても重要な本発明の対象は、掃除シートでもある、ここにおいて、掃除機の吸込みノズル２を床３に載せるときに、掃除シートを保持するために減圧が強化される。
【０１７１】
単独でも上記の対象との組み合わせにおいても重要な本発明の対象は、掃除シートでもある、ここにおいて、掃除シート４は、水拭き掃除後に廃棄のために吸い取られる。
【０１７２】
単独でも上記の対象との組み合わせにおいても重要な本発明の対象は、掃除シートでもある、ここにおいて、廃棄のために吸込み電力が高められる。
【０１７３】
開示された全ての特徴は（それ自体が）本発明の要部をなす。本出願の開示において、もって同封／添付の優先権の基礎書面（先の出願のコピー）の内容も充分に取り込まれ、この書面の目的及び特徴に関しても、先の出願の特許請求の範囲内に完全含まれている。
【図面の簡単な説明】
【０１７４】
【図１】この種の吸込みノズルを備えた家庭用の真空掃除機の斜視図である。
【図２】掃除機の吸込みノズルの底面図である。
【図３】掃除機の吸込みノズルの他の底面図である、しかしながら、水拭き動作に向けて吸込みノズルを準備するために、第１の実施例における構造形成部を取り付けた後のものである。
【図４】図３に対応する図面である、しかしながら、第２の実施例の構造形成部に関する。
【図５】掃除シートが取り付けられた掃除機の吸込みノズルの底面図である。
【図６】図５におけるＶＩ−ＶＩ線での断面図である。
【図７】図５の矢印ＶＩＩ方向からの掃除機の吸込みノズルの正面図である。
【図８】掃除シート単体の斜視図である。
【図９】掃除シートを示す、厚さに関して拡大された模式的断面図である。
【図１０】他の実施例における掃除機の吸込みノズルの模式的正面図であり、ノズルは、掃除機に取り付け可能でノズルを組み立てるための取り付け部材と、取付け部材に取付け可能な構造形成部と、構造形成部に固定可能な掃除シートとを有する。
【図１１】図１０に対応する図である、しかしながら、取付け部材と構造形成部とが一体に形成されている実施例に関する。
【図１２】図３に対応する底面図である、しかしながら、割り当てられた構造形成部と構造形成部上に設けられた中間部材とを有する掃除機の吸込みノズルに関する。
【図１３】構造形成部と掃除シートが取り付けられた掃除機の吸込みノズルの先端部分の模式的断面図であり、掃除シートと構造形成部との間に弾性を有する中間部材が設けられている。
【図１４】図１３に対応する断面図である、しかしながら、中間部材が射出成形された発泡部材からなる実施例に関する。
【図１５】図５に対応する底面図である、しかしながら、掃除シートの他の実施例に関する。
【図１６】図１３に対応する模式的断面図である、しかしながら、掃除機の吸込みノズルが刃状パッキンを有する実施例に関する。
【図１７】固定部材が形成された掃除シートの周縁部の切り抜き図である。
【図１８】図１３に対応する断面図であり、掃除シートは図１７に示す実施例と同じく構成されている。
【図１９】図１８に対応する図面である、しかしながら、固定部材を有する他の構成の掃除シートに関する。
【図２０】掃除溶液を蓄え導入されるマイクロカプセルを有する、他の実施例における掃除シートの掃除活性層の上面図である。
【図２１】図１３に対応する断面図であり、構成において、掃除シートは図２０に示す実施例と同じである。
【図２２】他の実施例における掃除シートの切り抜き図である、液体を含む状態に関する。
【図２３】図２２に対応する切り抜き図である、しかしながら、掃除シートが実質的に格納した液体を完全に放出し、それ自身が乾燥し、繋がって分裂した後の状態に関する。
【図２４】図１３に対応する断面図であり、掃除シートがポリウレタンからなる他の実施例に関する。
【図２５】吸込みノズルが掃除機に取り付けられた正面図であり、部分的な破断面に、掃除シートを吸い込みによって廃棄する別の方法について説明する。
【図２６】図１に対応する図である、しかしながら、吸込みノズルの他の実施例に関する。
【図２７】掃除機の吸込みノズルに装着された構造形成部の底面図である。
【図２８】図２７に対応する掃除機の吸込みノズルの底面図である、しかしながら、掃除シートの取付け後である。
【図２９】他の実施例における掃除機の吸込みノズルの長手方向に関する模式的断面図である。
【図３０】図２９に対応する長手方向の模式的断面図である、しかしながら、掃除機の吸込みノズルの他の実施例に関する。
【図３１】掃除機の吸込みノズルの先端部分の模式的な長手方向断面図である、吸込みノズルが操作方向に移動されたときの刃状パッキンの状態に関する。
【図３２】図３１に対応する図面である、しかしながら、逆方向に移動された刃状パッキンの状態に関する。
【図３３】図３１に対応する他の断面図である、しかしながら、閉鎖可能な吸込み開口を有する実施例に関する。
【図３４】図３３に対応する図面である、しかしながら、吸込みノズルが掃除する床から持ち上げられた場合に関する。
【符号の説明】
【０１７５】
１  掃除機
２  吸込みノズル
３  床
４  掃除シート
５  ノズルヘッド
６  ノズル本体
７  接続アダプタ
８  吸込み口
９  走行ローラ
１０  ノズル底
１１  溝
１２  ノズル先端部
１３  吸込み開口
１４  構造形成部
１５  格子部分
１６  開口
１７  平板状の部材
１８  スロット状の開口
１９  円板状の閉鎖部材
２０  スロット状の開口
２１  掃除活性層
２２  密閉層
２３  取付け部材
２４  係止部材
２５  中間部材
２６  シリコン樹脂部材
２７  発泡体層
２８  発泡部材
２９  高密度層部分
３０  パッキングリボン
３１  板状エレメント
３２  固定部材
３３  硬質樹脂部材
３４  貫通欠部
３５  マイクロカプセル
３６  シート片
３７  研磨剤
３８  キーボタン
３９  吸込みチャネル
４０  保持用吸込みチャネル系統
４１  吸込み用チャネル系統
４２  分岐部
４３、４３’  床吸込み部
４４  シート保持室
４５  デッキ
４６  吸込み気流出口
４７  分離手段
４８、４８’  刃状パッキン
４９、５０  吸込みチャネル系統
５１  接触検出機構
５２  接触皿
５３  ピン
５４  閉鎖板
５５  圧力バネ
５６  制御面
ｒ  操作方向
【図１】
2009011843.tif 000003
【図２】
2009011843.tif 000004
【図３】
2009011843.tif 000005
【図４】
2009011843.tif 000006
【図５】
2009011843.tif 000007
【図６】
2009011843.tif 000008
【図７】
2009011843.tif 000009
【図８】
2009011843.tif 000010
【図９】
2009011843.tif 000011
【図１０】
2009011843.tif 000012
【図１１】
2009011843.tif 000013
【図１２】
2009011843.tif 000014
【図１３】
2009011843.tif 000015
【図１４】
2009011843.tif 000016
【図１５】
2009011843.tif 000017
【図１６】
2009011843.tif 000018
【図１７】
2009011843.tif 000019
【図１８】
2009011843.tif 000020
【図１９】
2009011843.tif 000021
【図２０】
2009011843.tif 000022
【図２１】
2009011843.tif 000023
【図２２】
2009011843.tif 000024
【図２３】
2009011843.tif 000025
【図２４】
2009011843.tif 000026
【図２５】
2009011843.tif 000027
【図２６】
2009011843.tif 000028
【図２７】
2009011843.tif 000029
【図２８】
2009011843.tif 000030
【図２９】
2009011843.tif 000031
【図３０】
2009011843.tif 000032
【図３１】
2009011843.tif 000033
【図３２】
2009011843.tif 000034
【図３３】
2009011843.tif 000035
【図３４】
2009011843.tif 000036